(57)【要約】【課題】複雑な周波数制御を行わずして、選局周波数をジャストチューン周波数に設定することが可能な選局装置、選局方法、およびプログラムを提供する。【解決手段】規定の周波数範囲において順次に選局周波数を変えてキャリア信号をスキャンするオートスキャン処理を行うことが可能で、供給される周波数情報に対応した選局周波数の放送波信号を選択し、この放送波信号を中間周波信号に周波数変換するチューナ回路１１と、中間周波信号を受けて、希望キャリアの存在を確認するとこのキャリア周波数を選局周波数とし、選局周波数より低い周波数を設定して選局周波数を大きくすべき領域であるかを判別する第１の処理、および選局周波数より高い周波数を設定して選局周波数を小さくすべき領域であるかを判別する第２の処理の両方の処理を行った後、目的のジャストチューン周波数に選局周波数を設定する復調回路１２とを有する。【選択図】図１
2010124195.tif 000002
【特許請求の範囲】
【請求項１】
規定の周波数範囲において順次に選局周波数を変えてキャリア信号をスキャンするオートスキャン処理を行うことが可能で、供給される周波数情報に対応した選局周波数の放送波信号を選択し、この放送波信号を中間周波信号に周波数変換するチューナ部と、
上記チューナ部による中間周波信号を受けて、希望キャリアの存在を確認すると当該キャリア周波数を選局周波数とし、当該選局周波数より低い周波数を設定して選局周波数を大きくすべき領域であるかを判別する第１の処理、および当該選局周波数より高い周波数を設定して選局周波数を小さくすべき領域であるかを判別する第２の処理の両方の処理を行った後、目的のジャストチューン周波数に選局周波数を設定する復調部と
を有する選局装置。
【請求項２】
上記復調部は、
上記第１の処理において、選局周波数を大きくすべきとなる場合、およびこの繰り返し処理の最終判断で大きくすべきとならない場合には、周波数を選局周波数側にずらして処理を繰り返す
請求項１記載の選局装置。
【請求項３】
上記復調部は、
上記第２の処理において、選局周波数を小さくすべきとなる場合、およびこの繰り返し処理の最終判断で小さくすべきとならない場合には、周波数を選局周波数側にずらして処理を繰り返す
請求項１記載の選局装置。
【請求項４】
上記復調部は、
上記第１の処理において、選局周波数を大きくすべきとなる場合、およびこの繰り返し処理の最終判断で大きくすべきとならない場合には、周波数を選局周波数側にずらして処理を繰り返し、最終的に選局周波数を大きくすべきとなる場合に上記第２の処理に移行し、
上記第２の処理において、選局周波数を小さくすべきとなる場合、およびこの繰り返し処理の最終判断で小さくすべきとならない場合には、周波数を選局周波数側にずらして処理を繰り返し、最終的に選局周波数を小さくすべきとなる場合に、選局周波数をジャストチューン周波数に設定する
請求項１記載の選局装置。
【請求項５】
上記復調部は、
上記第２の処理において、選局周波数を小さくすべきとなる場合、およびこの繰り返し処理の最終判断で小さくすべきとならない場合には、周波数を選局周波数側にずらして処理を繰り返し、最終的に選局周波数を小さくすべきとなる場合に、選局周波数をジャストチューン周波数に設定する
請求項１記載の選局装置。
【請求項６】
規定の周波数範囲において順次に選局周波数を変えてキャリア信号をスキャンするオートスキャン処理を行うことが可能なチューン部で、供給される周波数情報に対応した選局周波数の放送波信号を選択し、この放送波信号を中間周波信号に周波数変換するステップと、
上記中間周波信号により希望キャリアの存在を確認すると当該キャリア周波数を選局周波数とするステップと、
上記選局周波数より低い周波数を設定して選局周波数を大きくすべき領域であるかを判別する第１の処理、および当該選局周波数より高い周波数を設定して選局周波数を小さくすべき領域であるかを判別する第２の処理の両方の処理を行うステップと、
処理終了後、目的のジャストチューン周波数に選局周波数を設定するステップと
を有する選局方法。
【請求項７】
規定の周波数範囲において順次に選局周波数を変えてキャリア信号をスキャンするオートスキャン処理を行うことが可能なチューン部で、供給される周波数情報に対応した選局周波数の放送波信号を選択し、この放送波信号を中間周波信号に周波数変換する手順と、
上記中間周波信号により希望キャリアの存在を確認すると当該キャリア周波数を選局周波数とする手順と、
上記選局周波数より低い周波数を設定して選局周波数を大きくすべき領域であるかを判別する第１の処理、および当該選局周波数より高い周波数を設定して選局周波数を小さくすべき領域であるかを判別する第２の処理の両方の処理を行う手順と、
処理終了後、目的のジャストチューン周波数に選局周波数を設定する手順と
を有する選局処理をコンピュータに実行させるプログラム。
【発明の詳細な説明】
【技術分野】
【０００１】
本発明は、テレビジョン受像機等に適用可能な選局装置、選局方法、およびプログラムに関するものである。
【背景技術】
【０００２】
たとえば、テレビジョン受像機において、チューナ回路の同調（選局）を、電圧シンセサイザ回路により制御する方法が知られている。
【０００３】
また、チューナ回路の同調（選局）を電圧シンセサイザ回路により制御する場合、そのＡＦＴ（Automatic Frequency Tuning）をデジタル処理により行い、最適なＡＦＴ動作を実現する選局制御回路が提案されている（たとえば特許文献１，２参照）。
【特許文献１】特開平７−１３１７２５号公報
【特許文献２】特開平７−１３１７２６号公報
【発明の開示】
【発明が解決しようとする課題】
【０００４】
ところが、既存の選局動作において、主に、オートスキャン（Auto Scan）時に選局周波数のサーチを行う際に、下記の課題があった。
【０００５】
・ＡＦＴの不感帯がある程度幅を持っているため、選局周波数がジャストチューンから多少ずれることで、ビデオの周波数特性（ｆ特）がずれてしまう。
・キャリアサーチ中、ＡＦＴの不感帯から大きく離れた周波数でキャリアをキャプチャーした場合、そのキャリアに対して選局を行うにあたり、ＡＦＴ電圧で制御しなければならなかったため、選局アルゴリズム中の制御時間が長くなってしまうことがある。
・ＡＦＴ電圧ではなく、周波数で直接制御を試みるとした場合、ＡＤコンバータ等の大規模な回路が追加になってしまいコスト増加になり、周波数制御の精度もあまり良くないため現実的ではなかった。
・ビデオキャプチャーレンジが狭かったために、細かな制御が必要になっていた。
【０００６】
本発明は、複雑な周波数制御を行わずして、選局周波数をジャストチューン周波数に設定することが可能な選局装置、選局方法、およびプログラムを提供することにある。
【課題を解決するための手段】
【０００７】
本発明の第１の観点の選局装置は、規定の周波数範囲において順次に選局周波数を変えてキャリア信号をスキャンするオートスキャン処理を行うことが可能で、供給される周波数情報に対応した選局周波数の放送波信号を選択し、この放送波信号を中間周波信号に周波数変換するチューナ部と、上記チューナ部による中間周波信号を受けて、希望キャリアの存在を確認すると当該キャリア周波数を選局周波数とし、当該選局周波数より低い周波数を設定して選局周波数を大きくすべき領域であるかを判別する第１の処理、および当該選局周波数より高い周波数を設定して選局周波数を小さくすべき領域であるかを判別する第２の処理の両方の処理を行った後、目的のジャストチューン周波数に選局周波数を設定する復調部とを有する。
【０００８】
本発明の第２の観点の選局方法は、規定の周波数範囲において順次に選局周波数を変えてキャリア信号をスキャンするオートスキャン処理を行うことが可能なチューン部で、供給される周波数情報に対応した選局周波数の放送波信号を選択し、この放送波信号を中間周波信号に周波数変換するステップと、上記中間周波信号により希望キャリアの存在を確認すると当該キャリア周波数を選局周波数とするステップと、上記選局周波数より低い周波数を設定して選局周波数を大きくすべき領域であるかを判別する第１の処理、および当該選局周波数より高い周波数を設定して選局周波数を小さくすべき領域であるかを判別する第２の処理の両方の処理を行うステップと、処理終了後、目的のジャストチューン周波数に選局周波数を設定するステップとを有する。
【０００９】
本発明の第３の観点は、規定の周波数範囲において順次に選局周波数を変えてキャリア信号をスキャンするオートスキャン処理を行うことが可能なチューン部で、供給される周波数情報に対応した選局周波数の放送波信号を選択し、この放送波信号を中間周波信号に周波数変換する手順と、上記中間周波信号により希望キャリアの存在を確認すると当該キャリア周波数を選局周波数とする手順と、上記選局周波数より低い周波数を設定して選局周波数を大きくすべき領域であるかを判別する第１の処理、および当該選局周波数より高い周波数を設定して選局周波数を小さくすべき領域であるかを判別する第２の処理の両方の処理を行う手順と、処理終了後、目的のジャストチューン周波数に選局周波数を設定する手順とを有する選局処理をコンピュータに実行させるプログラムである。
【００１０】
本発明によれば、復調部において、チューナ部による中間周波信号により希望キャリアの存在を確認するとキャリア周波数を選局周波数とする。
復調部では、選局周波数より低い周波数を設定して選局周波数を大きくすべき領域であるかを判別する第１の処理、および選局周波数より高い周波数を設定して選局周波数を小さくすべき領域であるかを判別する第２の処理の両方の処理が行われる。
そして、処理終了後、目的のジャストチューン周波数に選局周波数が設定される。
【発明の効果】
【００１１】
本発明によれば、複雑な周波数制御を行わずして、選局周波数をジャストチューン周波数に設定することが可能となる。
【発明を実施するための最良の形態】
【００１２】
以下、本発明の実施形態を図面に関連付けて説明する。
なお、説明は以下の順序で行う。
１．選局装置の構成例
２．選局装置の選局動作の概念説明
３．選局装置の動作の具体例
【００１３】
＜１．選局装置の構成例＞
図１は、本発明の実施形態に係る選局装置を採用した放送受信装置の構成例を示すブロック図である。
【００１４】
本放送受信装置１０は、チューナ回路１１、復調回路１２、バックエンド部１３、およびマイクロコンピュータ（μ‐ｃｏｍ）１４を有する。
そして、チューナ回路１１、復調回路１２、マイクロコンピュータ１４により選局装置１０Ａが形成される。
【００１５】
チューナ回路１１は、供給される同調電圧の大きさ（供給される周波数情報）に対応した周波数ｆ（チャンネル）の放送波信号を選択し、この放送波信号を中間周波信号（ＩＦ信号）に周波数変換して復調回路１２に出力する。
チューナ回路１１は、復調回路１２から周波数情報に対応する周波数にチューニングする機能を有する。
チューナ回路１１は、初期の周波数ｆ＝４０．０ＭＨｚから所定の周波数単位、たとえば２ＭＨｚごとにキャリア信号があるか否かのスキャンを８６０ＭＨｚになるまで繰り返し行うオートスキャン処理を行う。この周波数設定は、たとえば復調回路１２の制御に従って行われる。
チューナ回路１１は、復調回路１２から供給される周波数情報に応答した周波数ｆでの混合処理によるＩＦ信号の生成を行い、生成したＩＦ信号を復調回路１２に出力する。
【００１６】
基本的に、チューナ回路１１の処理は、マイクロコンピュータ１４の制御に応じた復調回路１２の制御に従って行われる。
【００１７】
図１のチューナ回路１１は、概念的な基本構成を示している。
チューナ回路１１は、ＡＧＣアンプ１１１、局部発振器１１２、および混合器１１３を有している。
【００１８】
ＡＧＣアンプ１１１は、入力されるＲＦ信号を所定の利得をもって増幅し、混合器１１３に出力する。
ＡＧＣアンプ１１１は、たとえばスキャン時に感度を落としてＲＦ信号に対する増幅処理を行うように制御される。
局部発振器１１２は、所定周波数の局部発振信号ＬＯを生成し、混合器１１３に出力する。
混合器１１３は、入力されたＲＦ信号（放送波信号）と局部発振信号ＬＯとの混合処理（乗算処理）を行って、ＩＦ信号を生成し、復調回路１２に出力する。
【００１９】
復調回路１２は、チューナ回路１１による中間周波信号により希望キャリアの存在を確認するとキャリア周波数を選局周波数とする。
復調回路１２は、選局周波数より低い周波数を設定して選局周波数を大きくすべき領域であるかを判別する第１の処理、および選局周波数より高い周波数を設定して選局周波数を小さくすべき領域であるかを判別する第２の処理の両方の処理を行う。
そして、復調回路１２は、処理終了後、選局周波数を目的のジャストチューン周波数に設定する。
【００２０】
復調回路１２は、チューナ回路１１の出力信号から希望のキャリア信号があるか否かを判断し、希望のキャリア信号を見つけるとＰＬＬ回路がロックし、希望キャリアの周波数（ジャストチューン周波数）ｆ0の近傍のポイントに引き込むように制御する。
【００２１】
復調回路１２は、たとえばＡＦＴ ＵＰとなるように現在のジャストチューン周波数ｆ0から所定周波数２８１．２５ｋＨｚを減じた周波数を設定し、チューナ回路１１にその周波数情報を与える。
復調回路１２は、２回ＡＦＴ ＵＰとなるまで周波数をジャストチューン周波数ｆ0側へたとえば＋６２．５ｋＨｚずらしていく。所定回数ずらして、たとえば１０回繰り返し行わせる。
復調回路１２は、この繰り返し処理の途中での最終判断にＡＦＴ ＵＰとならない場合には、周波数をジャストチューン周波数ｆ0からたとえば＋２ＭＨｚずらしていく。
【００２２】
復調回路１２は、上記繰り返し処理でＡＦＴ ＵＰとなったと判断すると、次にＡＦＴ ＤＮ（ダウン）となるように現在のジャストチューン周波数ｆ0に所定周波数２８１．２５ｋＨｚを加算した周波数を設定し、チューナ回路１１にその周波数情報を与える。
復調回路１２は、２回ＡＦＴ ＤＮとなるまで周波数をジャストチューン周波数ｆ0側へたとえば−６２．５ｋＨｚずらしていく。所定回数ずらして、たとえば１０回繰り返し行わせる。
復調回路１２は、この繰り返し処理の途中での最終判断にＡＦＴ ＤＮとならない場合には、周波数をジャストチューン周波数ｆ0からたとえば＋２ＭＨｚずらしていく。
【００２３】
図１の復調回路１２は、概念的な基本構成を示している。
復調回路１２は、アンプ１２１、ＡＰＣ（自動位相制御）検波器１２２、電圧制御発振器（ＶＣＯ）１２３、および混合器１２４を有している。
【００２４】
アンプ１２１は、チューナ回路１１によるＩＦ信号を増幅して混合器１２４に出力する。
ＡＰＣ検波器１２２は、ＰＬＬ回路として機能し、基準信号とＩＦ信号が位相同期した電圧信号Ｓ１２２をＶＣＯ１２３に供給する。
ＶＣＯ１２３は、ＡＰＣ検波器１２２による電圧信号Ｓ１２２に応じた周波数で発振し、発振信号Ｓ１２３を混合器１２４に出力する。
混合器１２４は、増幅したＩＦ信号とＶＣＯ１２３の発振信号Ｓ１２３との混合処理（乗算処理）を行って、再生信号を生成し、その信号をバックエンド部１３に出力する。
【００２５】
復調回路１２は、以上のようにして選局したチャンネルのデータを、たとえばビデオデータとオーディオデータに分離し、分離したビデオデータおよびオーディオデータに対する復調処理を行う。
ビデオデータは、ＡＭ変調されている。復調回路１２は、供給されたビデオデータに対応する復調方式で復調する。
オーディオデータは、ＦＭ変調またはＡＭ変調されている。復調回路１２は、供給されたオーディオデータに対応する復調方式で復調する。
復調回路１２は、復調したデータをバックエンド部１３に供給する。
【００２６】
バックエンド部１３は、復調回路１２で復調されたテレビジョンデータを受けて、アナログのビデオ信号およびオーディオ信号を生成し、生成したビデオ信号およびオーディオ信号を出力する。ビデオ信号はたとえばビデオアンプに供給される。
そして、バックエンド部１３により処理されたビデオ信号は図示しない表示デバイスに表示され、オーディオ信号はスピーカを通して出力される。
【００２７】
マイクロコンピュータ１４は、放送受信装置１０全体の制御を行う。
また、マイクロコンピュータ１４は、復調回路１２におけるオートスキャン周波数の設定処理等の制御を行う。
【００２８】
＜２．選局装置の選局動作の概念説明＞
次に、本実施形態に係る選局装置の選局動作の概念を、既存の選局動作と比較して説明する。
【００２９】
図２は、本実施形態に係る選局装置の選局動作の概念を説明するための図である。
図３は、一般的な選局動作の概念を説明するための図である。
【００３０】
まず、一般的な選局動作の概念を図３に関連付けて説明する。
【００３１】
この例では、希望キャリアを見つけると復調回路のＰＬＬがロックして、選局周波数が希望キャリアの周波数（ジャストチューン周波数）ｆ0の近傍のポイントＰ１に引き込まれる。
その時点では、ジャストチューンからどの程度周波数がずれているかは解らないが、ｆ0に近づけるためには選局周波数を大きく（アップ：ＵＰ）すべきか、小さく（ダウン：Ｄｏｗｎ（ＤＮ））すべきかのどちらなのかは、ＡＦＴ電圧値で判断できる。
ＡＦＴ電圧の最大値と最小値の間を３等分し、ＡＦＴ電圧が上中下のどこの領域にあるかによって、選局周波数をＵＰ（ＡＦＴ電圧が上）/Ｓｔｏｐ（ＡＦＴ電圧が中＝不感帯）/Ｄｏｗｎ（ＡＦＴ電圧が下）の３つのいずれかの動作をさせる。
【００３２】
ポイントＰ１は、ＡＦＴ電圧がハイレベルとなり選局周波数をアップ（ＵＰ）する制御を行う。
周波数をアップ（ＵＰ）させていくと、ポイントＰ１からＰ２、ポイントＰ２からＰ３へとＡＦＴ電圧が下がり不感帯に入る。
不感帯では、ジャストチューンではないにしろ、それなりに近いところで選局できているとみなしている。
さらに、ＤＮ領域が見つかるまで選局周波数をアップ（ＵＰ）させる。不感帯を通り過ぎていくのは、ＡＦＴのＳカーブの存在を確認するためであって、選局の信頼性を高める効果がある。
ポイントＰ４まで選局周波数が高くなりＤＮと判定されると選局周波数をダウン（Ｄｏｗｎ）させる制御に変わり、ポイントＰ５まで周波数を下げて不感帯へ導いたところで選局が完了する。
不感帯は約１００ｋＨｚである。
【００３３】
しかし、この方法では、以下の不利益がある。
・ＡＦＴの不感帯がある程度幅を持っているため、選局周波数がジャストチューンから多少ずれることで、ビデオの周波数特性（ｆ特）がずれてしまう。
・キャリアサーチ中、ＡＦＴの不感帯から大きく離れた周波数でキャリアをキャプチャーした場合、そのキャリアに対して選局を行うにあたり、ＡＦＴ電圧で制御しなければならなかったため、選局アルゴリズム中の制御時間が長くなってしまうことがある。
・ＡＦＴ電圧ではなく、周波数で直接制御を試みるとした場合、ＡＤコンバータ等の大規模な回路が追加になってしまいコスト増加になり、周波数制御の精度もあまり良くないため現実的ではない。
・ビデオキャプチャーレンジが狭かったために、細かな制御が必要になる。
そこで、本実施形態においては、図２、さらには後で詳述する図４に示すような方法を採用する。
【００３４】
次に、本実施形態に係る選局装置の選局動作の概念を図２に関連付けて説明する。
【００３５】
本実施形態に係る放送受信装置１０の選局動作は、希望キャリアを見つけると復調回路のＰＬＬがロックした時点で、希望キャリアの周波数（ジャストチューン周波数）ｆ0からどの程度周波数がずれているかが解る。
本実施形態では、周波数f0が求まったからといって、一気に周波数f0にするのではなく、一般的な方法の通り選局の信頼性を高めるために、選局周波数を周波数f0より２８１．２５ｋＨｚ低い周波数f1(ステップＳＴ１)に設定しＵｐになることを確認する。
次に、選局周波数を周波数f0より２８１．２５ｋＨｚ高い周波数f2(ステップＳＴ２)に設定し、Ｄｏｗｎになることを確認した後、目的のポイントであるステップＳＴ３のジャストチューンへ選局周波数を設定することにより、選局が完了する。
【００３６】
周波数f0を求める機能の信頼性が極めて高いと仮定すると、ステップＳＴ１およびステップＳＴ２を経由せずに、ステップＳＴ３に直接移動させるという制御方式も採用でき、上記の方式と比較してさらに選局周波数のサーチの高速化が可能となる。
本実施形態によって、選局が完了するまでの時間短縮、制御の簡易化が可能となる。
【００３７】
＜３．選局装置の動作の具体例＞
次に、本実施形態に係る放送受信装置１０の具体的な選局制御動作について、チューナ回路１１および復調回路１２の処理を中心に図４に関連付けて説明する。
【００３８】
図４は、本実施形態に係る放送受信装置１０の具体的な選局動作について説明するためのフローチャートである。
【００３９】
［ステップＳＴ１０１］
まず、ステップＳＴ１０１において、チューナ回路１１のＡＧＣアンプ１１１の感度を落とす制御が行われる（制御がＯＮされる）。
【００４０】
［ステップＳＴ１０２］
ステップＳＴ１０２において、チューナ回路１１に対してオートスキャンの周波数ｆが初期値の４０．０ＭＨｚに設定される。この場合、チューナ側の帯域幅は８ＭＨｚである。
チューナ回路１１は、初期の周波数ｆ＝４０．０ＭＨｚから所定の周波数単位、たとえば２ＭＨｚごとにキャリア信号があるか否かのスキャンを８６０ＭＨｚになるまで繰り返し行うことになる。
【００４１】
［ステップＳＴ１０３］
ステップＳＴ１０３において、周波数ｆが８６０ＭＨｚを超えるか否かの判別が行われる。
ステップＳＴ１０３においては、周波数ｆが８６０ＭＨｚを超えると判別されると、オートスキャンのプログラムは終了する。
【００４２】
［ステップＳＴ１０４］
ステップＳＴ１０４において、チューナ回路１１によるＩＦ信号を受けて、所望するキャリア信号があるか、あるいはＡＰＣ検波器１２２におけるＰＬＬがロックしたか否かが判別される。
ステップＳＴ１０４において、キャリア信号がない、あるいはＰＬＬがロックしていないと判別されると、ステップＳＴ１０５の処理に移行する。
一方、ステップＳＴ１０４において、キャリア信号がる、あるいはＰＬＬがロックしたと判別されると、ステップＳＴ１０７の処理に移行する。
【００４３】
［ステップＳＴ１０５］
ステップＳＴ１０５においては、ステップＳＴ１０１と同様に、チューナ回路１１のＡＧＣアンプ１１１の感度を落とす制御が行われる。
【００４４】
［ステップＳＴ１０６］
ステップＳＴ１０６において、チューナ回路１１に対してオートスキャンの周波数ｆが既に設定されている周波数に＋２ＭＨｚが加算されて、上述したステップＳＴ１０３の処理に移行する。
そして、チューナ回路１１は、上述したように、初期の周波数ｆ＝４０．０ＭＨｚから所定の周波数単位、たとえば２ＭＨｚごとにキャリア信号があるか否かのスキャンを８６０ＭＨｚになるまで繰り返し行うことになる。
【００４５】
［ステップＳＴ１０７］
ステップＳＴ１０７においては、復調回路１２で、現在のキャリア周波数がジャストチューン周波数ｆ0として読み取られ、チューナ回路１１のスキャンの周波数ｆがその周波数ｆ0に設定される。
【００４６】
［ステップＳＴ１０８］
ステップＳＴ１０８において、復調回路１２で、たとえばチューナ回路１１の選局周波数ｆがＡＦＴ ＵＰとなるように現在のジャストチューン周波数ｆ0から所定周波数２８１．２５ｋＨｚを減じた周波数に設定される。
【００４７】
［ステップＳＴ１０９］
ステップＳＴ１０９において、繰り返し回数Ｎが初期の「０」に設定される。
【００４８】
［ステップＳＴ１１０］
ステップＳＴ１１０において、繰り返し回数Ｎが１０より大きくなるか否かの判別が行われる。
ステップＳＴ１１０において、繰り返し回数Ｎが１０より大きくなると判別された場合にはステップＳＴ１０５の処理に移行し、上述したステップＳＴ１０５〜ＳＴ１０９の処理が再度行われる。
ステップＳＴ１１０において、繰り返し回数Ｎが１０より大きくないと判別された場合にはステップＳＴ１１１の処理に移行する。
【００４９】
［ステップＳＴ１１１］
ステップＳＴ１１１において、ＡＦＴ ＵＰであるか否かの判別が行われる。
ステップＳＴ１１１において、ＡＦＴ ＵＰであると判別されると、ステップＳＴ１１２に処理に移行する。
ステップＳＴ１１１において、ＡＦＴ ＵＰでないと判別されると、ステップＳＴ１１５に処理に移行する。
【００５０】
［ステップＳＴ１１２］
ステップＳＴ１１２において、周波数ｆがジャストチューン周波数ｆ0側にずらして、たとえば６２．５ｋＨｚが加算され、繰り返し回数Ｎが＋１される。
【００５１】
［ステップＳＴ１１３］
ステップＳＴ１１３において、繰り返し回数Ｎが１０より大きくなるか否かの判別が行われる。
ステップＳＴ１１３において、繰り返し回数Ｎが１０より大きくなると判別された場合にはステップＳＴ１０５の処理に移行し、上述したステップＳＴ１０５〜ＳＴ１１２の処理が再度行われる。
ステップＳＴ１１３において、繰り返し回数Ｎが１０より大きくないと判別された場合にはステップＳＴ１１４の処理に移行する。
【００５２】
［ステップＳＴ１１４］
ステップＳＴ１１４において、ＡＦＴ ＵＰであるか否かの判別が行われる。
ステップＳＴ１１４において、ＡＦＴ ＵＰでないと判別されると、ステップＳＴ１１５に処理に移行する。
ステップＳＴ１１４において、ＡＦＴ ＵＰであると判別されると、ステップＳＴ１１６の処理に移行する。
【００５３】
［ステップＳＴ１１５］
ステップＳＴ１１２において、周波数ｆがジャストチューン周波数ｆ0側にずらして、たとえば６２．５ｋＨｚが加算され、繰り返し回数Ｎが＋１される。
そして、ステップＳＴ１１０からの処理に戻る。
【００５４】
［ステップＳＴ１１６］
上記繰り返し処理でＡＦＴ ＵＰとなったと判断されると、ステップＳＴ１１６からの処理が行われる。
まず、ステップＳＴ１１６において、復調回路１２で、たとえばチューナ回路１１の選局周波数ｆがＡＦＴ ＤＮとなるように現在のジャストチューン周波数ｆ0に所定周波数２８１．２５ｋＨｚを加算した周波数に設定される。
【００５５】
［ステップＳＴ１１７］
ステップＳＴ１１７において、繰り返し回数Ｎが初期の「０」に設定される。
【００５６】
［ステップＳＴ１１８］
ステップＳＴ１１８において、繰り返し回数Ｎが１０より大きくなるか否かの判別が行われる。
ステップＳＴ１１８において、繰り返し回数Ｎが１０より大きくなると判別された場合にはステップＳＴ１０５の処理に移行し、上述したステップＳＴ１０５〜ＳＴ１１７の処理が再度行われる。
ステップＳＴ１１８において、繰り返し回数Ｎが１０より大きくないと判別された場合にはステップＳＴ１１９の処理に移行する。
【００５７】
［ステップＳＴ１１９］
ステップＳＴ１１９において、ＡＦＴ ＤＮであるか否かの判別が行われる。
ステップＳＴ１１９において、ＡＦＴ ＤＮであると判別されると、ステップＳＴ１２０に処理に移行する。
ステップＳＴ１１９において、ＡＦＴ ＤＮでないと判別されると、ステップＳＴ１２３に処理に移行する。
【００５８】
［ステップＳＴ１２０］
ステップＳＴ１２０において、周波数ｆがジャストチューン周波数ｆ0側にずらして、たとえば６２．５ｋＨｚが減算され、繰り返し回数Ｎが＋１される。
【００５９】
［ステップＳＴ１２１］
ステップＳＴ１２１において、繰り返し回数Ｎが１０より大きくなるか否かの判別が行われる。
ステップＳＴ１２１において、繰り返し回数Ｎが１０より大きくなると判別された場合にはステップＳＴ１０５の処理に移行し、上述したステップＳＴ１０５〜ＳＴ１２０の処理が再度行われる。
ステップＳＴ１２１において、繰り返し回数Ｎが１０より大きくないと判別された場合にはステップＳＴ１２２の処理に移行する。
【００６０】
［ステップＳＴ１２２］
ステップＳＴ１２２において、ＡＦＴ ＤＮであるか否かの判別が行われる。
ステップＳＴ１２２において、ＡＦＴ ＤＮでないと判別されると、ステップＳＴ１２３に処理に移行する。
ステップＳＴ１２２において、ＡＦＴ ＤＮであると判別されると、ステップＳＴ１２４の処理に移行する。
【００６１】
［ステップＳＴ１２３］
ステップＳＴ１２３において、周波数ｆがジャストチューン周波数ｆ0側にずらして、たとえば６２．５ｋＨｚが減算され、繰り返し回数Ｎが＋１される。
そして、ステップＳＴ１１８からの処理に戻る。
【００６２】
［ステップＳＴ１２４］
ステップＳＴ１２４において、チューナ回路１１のＡＧＣアンプ１１１の感度を落とす制御が停止される（ＯＦＦされる）。
【００６３】
［ステップＳＴ１２５］
ステップＳＴ１２５において、周波数ｆがジャスト周波数ｆ0に設定される。
【００６４】
なお、以上の説明では、ＡＦＴ ＵＰ側のステップＳＴ１０８〜ＳＴ１１５の第１の処理を行った後に、ＡＦＴ ＤＮ側のステップＳＴ１１６〜ＳＴ１２３の第２の処理を行うようにしたが、その順番は逆であってよい。
すなわち、ＡＦＴ ＤＮ側のステップＳＴ１１６〜ＳＴ１２３の第２の処理を行った後に、ＡＦＴ ＵＰ側のステップＳＴ１０８〜ＳＴ１１５の第１の処理を行うようにしてもよい。
【００６５】
以上説明したように、本実施形態の放送受信装置１０において、復調回路１２は、チューナ回路１１による中間周波信号により希望キャリアの存在を確認するとキャリア周波数を選局周波数とする。
復調回路１２は、選局周波数より低い周波数を設定して選局周波数を大きくすべき領域であるかを判別する第１の処理、および選局周波数より高い周波数を設定して選局周波数を小さくすべき領域であるかを判別する第２の処理の両方の処理を行う。
そして、復調回路１２は、処理終了後、選局周波数を目的のジャストチューン周波数に設定する。
したがって、本実施形態によれば、以下の効果を得ることができる。
【００６６】
・キャリアサーチ中、ＡＦＴの不感帯から大きく離れた周波数でキャリアをキャプチャーすることが多い場合でも、精度良く少ない回数で周波数制御を行えるため、オートスキャン（Auto Scan）に要する時間を大幅に短縮することができる。
・不感帯の端ではなく、ジャストチューン周波数で選局が可能になるため、ビデオのf特のずれがなくなり、ビデオ特性が最適化される。
・選局アルゴリズムの明瞭化によって、ソフトウェア（Ｓ／Ｗ）開発および検証の工数を大幅に削減できる。
【００６７】
すなわち、本実施形態によれば、希望キャリアに対してＰＬＬがロックした時点で、復調回路１２内部でジャストチューンの周波数が容易に求まるため、複雑な周波数制御を行わずして、選局周波数をジャストチューン周波数に設定することが可能になる。
ジャストチューン周波数が容易に求められるのは、ＩＣ内部の信号処理をアナログ処理ではなくデジタル処理で行っているためであり、数値化に適しているからである。
ビデオキャプチャーレンジが広い特性を生かし、より簡易的な選局アルゴリズムで制御できるようになる。
本発明の実施形態の選局アルゴリズムでは、周波数制御時間が短縮される箇所があり、特にオートスキャン（Auto Scan）に要する時間が短縮される。
【００６８】
なお、以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【図面の簡単な説明】
【００６９】
【図１】本発明の実施形態に係る選局装置の構成例を示すブロック図である。
【図２】本実施形態に係る選局装置の選局動作の概念を説明するための図である。
【図３】一般的な選局動作の概念を説明するための図である。
【図４】本実施形態に係る放送受信装置１０の具体的な選局動作について説明するためのフローチャートである。
【符号の説明】
【００７０】
１０・・・放送受信装置、１０Ａ・・・選局装置、１１・・・チューナ回路、１２・・・復調回路、１３・・・バックエンド部、１４・・・マイクロコンピュータ。
【図１】
2010124195.tif 000003
【図２】
2010124195.tif 000004
【図３】
2010124195.tif 000005
【図４】
2010124195.tif 000006
【手続補正書】
【提出日】平成22年2月19日(2010.2.19)
【手続補正１】
【補正対象書類名】明細書
【補正対象項目名】００１５
【補正方法】変更
【補正の内容】
【００１５】
チューナ回路１１は、供給される同調電圧の大きさ（供給される周波数情報）に対応した周波数ｆ（チャンネル）の放送波信号を選択し、この放送波信号を中間周波信号（ＩＦ信号）に周波数変換して復調回路１２に出力する。
チューナ回路１１は、復調回路１２から供給される周波数情報に対応する周波数にチューニングする機能を有する。
チューナ回路１１は、初期の周波数ｆ＝４０．０ＭＨｚから所定の周波数単位、たとえば２ＭＨｚごとにキャリア信号があるか否かのスキャンを８６０ＭＨｚになるまで繰り返し行うオートスキャン処理を行う。この周波数設定は、たとえば復調回路１２の制御に従って行われる。
チューナ回路１１は、復調回路１２から供給される周波数情報に応答した周波数ｆでの混合処理によるＩＦ信号の生成を行い、生成したＩＦ信号を復調回路１２に出力する。
【手続補正２】
【補正対象書類名】明細書
【補正対象項目名】００５３
【補正方法】変更
【補正の内容】
【００５３】
［ステップＳＴ１１５］
ステップＳＴ１１５において、周波数ｆがジャストチューン周波数ｆ0側にずらして、たとえば６２．５ｋＨｚが加算され、繰り返し回数Ｎが＋１される。
そして、ステップＳＴ１１０からの処理に戻る。